(57)【特許請求の範囲】
【請求項１】
装甲車両から放出される赤外線デコイフレア飛しょう体において、
空中浮遊可能形状を有する赤外線放射布と、
空中浮遊時の前記赤外線放射布の表面から遠赤外線を放射させる熱源と、
前記赤外線デコイフレア飛しょう体を所定の高度まで飛行させ、前記所定の高度において放出薬の燃焼により前記赤外線放射布を放出する放出手段と、
前記熱源を底部に止め付け、前記放出手段を開口端に分離自在に取り付け、前記赤外線放射布を前記熱源と前記放出手段とに連結させるとともに前記熱源と前記放出手段との間に取り出し自在に収納する有底の筒体と
を備え、
前記熱源は、前記放出手段による前記赤外線放射布の放出に伴って発火される着火薬を有する着火装置と、前記着火薬の点火により燃焼炎を形成して前記筒体に連結されて空中浮遊する前記赤外線放射布を暖め前記赤外線放射布の表面から遠赤外線を放出させる加熱剤とを有する
ことを特徴とする赤外線デコイフレア飛しょう体。
【請求項２】
前記赤外線放射布は、空中を浮遊し下降しながら移動するパラシュート（落下傘）であることを特徴とする請求項１記載の赤外線デコイフレア飛しょう体。
【請求項３】
前記赤外線放射布は、耐熱性の炭素繊維織物、アラミド繊維織物であることを特徴とする請求項１または２記載の赤外線デコイフレア飛しょう体。
【請求項４】
前記熱源は、金属粉と硝酸塩の混合物、金属粉とＰＴＦＥ（ポリテトラフッ化エチレン）の混合物、コンボジット推進薬から選ばれる少なくとも１種の加熱剤を有することを特徴とする請求項１ないし請求項３の何れか記載の赤外線デコイフレア飛しょう体。
【発明の詳細な説明】
【０００１】
【発明の属する技術分野】
本発明は、赤外線を発生するデコイフレア飛しょう体に係り、詳しくは、対赤外線ホーミング飛しょう体の赤外線デコイフレア飛しょう体に関する。
【０００２】
【従来の技術】
従来、装甲車両等の防護システムとして、赤外線追随飛しょう体から回避するため赤外線（ＩＲ）遮蔽効果を有する煙幕等が用いられていた。
【０００３】
このＩＲ遮蔽発煙剤組成物については、特公昭６０−４２１９４号公報に開示されている。
また、新型の発煙弾は、デコイフレア飛しょう体に発煙剤と燃焼剤とを組合せ、この飛しょう体を放出後、発煙剤と燃焼剤が分離するようになっている。
そして、先に発煙剤の煙幕が展開し、その煙幕の中で燃焼剤が燃焼しデコイ（囮）として機能する。
【０００４】
このデコイについては、米国特許第５５５１３４５号明細書に開示されている。
【０００５】
【発明が解決しようとする課題】
ところが、発煙剤を有する飛しょう体、あるいは発煙剤および燃焼剤を有する混合飛しょう体は、対装甲車両等の地上での防御には有効ではあるが、ヘリコプター等頭上（トップアタック）から射出される赤外線ホーミング飛しょう体の回避には充分対応することが困難であるという問題があった。
【０００６】
本発明はかかる従来の問題点を解決するためになされたもので、その目的は、装甲車両等から発生する赤外線と同じような赤外線を発する欺瞞の囮を利用して、装甲車両等を赤外線ホーミング飛しょう体から防御することが可能な赤外線デコイフレア飛しょう体を提供することにある。
【０００７】
【課題を解決するための手段】
請求項１に係る発明は、装甲車両から放出される赤外線デコイフレア飛しょう体において、空中浮遊可能形状を有する赤外線放射布と、空中浮遊時の前記赤外線放射布の表面から遠赤外線を放射させる熱源と、前記赤外線デコイフレア飛しょう体を所定の高度まで飛行させ、前記所定の高度において放出薬の燃焼により前記赤外線放射布を放出する放出手段と、前記熱源を底部に止め付け、前記放出手段を開口端に分離自在に取り付け、前記赤外線放射布を前記熱源と前記放出手段とに連結させるとともに前記熱源と前記放出手段との間に取り出し自在に収納する有底の筒体とを備え、前記熱源は、前記放出手段による前記赤外線放射布の放出に伴って発火される着火薬を有する着火装置と、前記着火薬の点火により燃焼炎を形成して前記筒体に連結されて空中浮遊する前記赤外線放射布を暖め前記赤外線放射布の表面から遠赤外線を放出させる加熱剤とを有することを特徴とする。
【０００８】
請求項２に係る発明は、請求項１記載の赤外線デコイフレア飛しょう体において、前記赤外線放射布は、空中を浮遊し下降しながら移動するパラシュート（落下傘）であることを特徴とする。
請求項３に係る発明は、請求項１または２記載の赤外線デコイフレア飛しょう体において、前記赤外線放射布は、耐熱性の炭素繊維織物、アラミド繊維織物であることを特徴とする。
【０００９】
請求項４に係る発明は、請求項１ないし請求項３の何れか記載の赤外線デコイフレア飛しょう体において、前記熱源は、金属粉と硝酸塩の混合物、金属粉とＰＴＦＥ（ポリテトラフッ化エチレン）の混合物、コンボジット推進薬から選ばれる少なくとも１種の加熱剤を有することを特徴とする。
【００１０】
（作用）
本発明の赤外線デコイフレア飛しょう体は、特にヘリコプター等頭上から射出される赤外線ホーミング飛しょう体から回避するための囮である。
本発明の赤外線デコイフレア飛しょう体は、装甲車両等の放出筒から空中へ放出されると、発射薬（推進手段）により上空へ推進しながら延時薬（延時手段）に着火し所定の上空（地上から約３０ｍ程）へ達すると、放出薬（放出手段）の燃焼により作動傘および主傘が引き出され、空中へ広く展開する。
【００１１】
そして、所定経過後、この飛しょう体に設けられる延期装置により収容されている作動傘が展開し続いて主傘（赤外線放射布）が引き出され展開する。
このとき、加熱剤は、主傘と連結する着火具により点火し燃焼し燃焼炎を形成する。
そして、この燃焼炎により主傘である赤外線放射傘が暖められ、赤外線放射傘の表面から遠赤外線が放射される。
【００１２】
また、赤外線放射傘は、燃焼炎による暖められた空気の揚力により、所定時間空中に浮遊する。すなわち、加熱剤の燃焼炎は、赤外線放射布を暖め、これにより遠赤外線を放射させることが大きな役目であるが、この燃焼炎の対流により、パラシュート形状の赤外線放射布が、パラシュート本来の空気抵抗係数よりも大きく浮遊する２次的な作用を発揮する。
【００１３】
これにより、赤外線ホーミング飛しょう体に対し装甲車両等と誤認させ、当該飛しょう体の飛行経路を変化させる。
【００１４】
【発明の実施の形態】
以下、本発明の実施形態を図面に基づいて説明する。
【００１５】
図１、図２は、本実施形態に係る赤外線デコイフレア飛しょう体を示し、図３は、赤外線デコイフレア飛しょう体の放出から赤外線放射布の浮遊までの運用概要を示す。
先ず、本実施形態に係る赤外線デコイフレア飛しょう体を説明する。
長尺状の筒体１の一側１ａ内部には、作動傘１１および主傘１０を引き出すため、発射薬３→延時薬４→放出薬５の順に装薬されている。発射薬３、延時薬４、放出薬５が放出手段２を構成する。
【００１６】
また、筒体１の一側１ａは、Ｏリング１７，留めピン１８を介して放出手段２と連結している。
また、筒体１の一側１ａ外周には、折り畳たみ可能な４枚の翼２２がピン２３を介して取り付けられている。
ここで、放出手段２および４枚の翼２２が放出機構２４を構成している。
【００１７】
一方、筒体１の他側１ｂ内部には、燃焼炎を形成する加熱剤６と、この加熱剤６を収容する収容筒７と、加熱剤６に着火する着火装置８が配置されている。加熱剤６と着火装置８が熱源９を構成する。
【００１８】
また、この筒体１内部の中間付近には、主傘（赤外線放射布）１０と、この主傘１０を主傘ロープ１２で係着し主傘１０を引き出す作動傘１１が配置されている。作動傘１１は、飛しょう中に、放出薬５の燃焼で筒体１内から引き出され、引き続き主傘１０を引き出し、展開させる。
また、筒体１の他側１ｂ端部の開口部を蓋部材１３で塞ぐとともに、この蓋部材１３の外周内面と、筒体１の外周１ｂ側壁と接触する部位にスペーサ１４を配置し、蓋部材１３で筒体１を保持する。
【００１９】
また、蓋部材１３と筒体１内の収容筒７の底部とをビス等の留め具１５で止めている。
次に、各構成部を説明する。
発射薬３は、黒色火薬またはシングルベース発射薬（ニトロセルロース）である。
【００２０】
延時薬４は、マンガン（Ｍｎ）、クロム酸鉛（ＰｂＣｒＯ4）およびクロム酸バリウム（ＢａＣｒＯ4）の混合物である。
放出薬５は、黒色火薬である。
加熱剤６は、所定時間燃焼が持続するものが良く、例えば、マグネシウム、アルミニウム等の金属粉とＰＴＦＥ（ポリテトラフッ化エチレン）との混合物、マグネシウム、アルミニウム等の金属粉と硝酸塩等の酸化剤との混合物、またはコンポジット推進薬を単独で用いても良い。
【００２１】
筒体１の一側１ａ外周に巻き付くように配置される翼２２は、発射薬３により空中へ飛しょうする際に、折り畳まれた状態からバネの作用で展開するようになっている。
着火装置８は、引き金トリガー（レバー）１９によって雷管２１が作動し着火薬２０を発火させる手段を用いている。引き金トリガー１９と主傘１０とは、着火用紐（図示せず）で繋着している。したがって、放出薬５により作動傘１１および主傘１０が引き出される際、この主傘１０と繋着している着火用紐により、引き金トリガー１９が作動する。これにより雷管２１が作動し、着火薬２０が燃焼し加熱剤６を着火するようになっている。
【００２２】
次に、赤外線放射傘である主傘（赤外線放出布）１０の素材について説明する。
主傘１０の素材は、熱源９の燃焼炎により変形しないもので、所定の遠赤外線を放射する特性をもつものが良い。
例えば、耐熱性の優れた炭素繊維織物、アラミド繊維織物等が使用できるが、特にアラミド繊維が好ましい（耐熱性４００℃）。
【００２３】
また、これら以外には、単体の織物でも良いし、組み合わせた織物を用いても良い。
主傘１０を構成する赤外線放射布（赤外線放射体）は、加熱剤６の燃焼温度により、その表面の温度が影響される。この燃焼温度を調整することで、所定の遠赤外線を得ることができる。
【００２４】
また、この燃焼温度は、加熱剤６の時間当たりのカロリー（熱量）を変えるようなパラメータで調整する。これにより、空中浮遊の主傘１０を暖め８〜１２μmの遠赤外線を得ることができる。
本発明の赤外線デコイフレア飛しょう体は、装甲車両等、特に戦車から発生する赤外線と同じような赤外線を発する欺瞞の囮を利用して、装甲車両等を赤外線ホーミング飛しょう体から防御するものである。そのためには、装甲車両等と同等の熱を主傘（赤外線放射体）から発生する必要がある。
【００２５】
装甲車両等から発生する熱は、主にエンジン部位および排気ガス部であり、日中は太陽光の輻射によって表面から放出される。このときの赤外線は、遠赤外線波長域が主となる。
次に、図１、図２に示す赤外線デコイフレア飛しょう体の組立を説明する。
【００２６】
先ず、加熱剤６が収納される収容筒７と、この収容筒７の開口部に着火装置８を配置し、さらに、この着火装置８と主傘１０とを着火用紐で係着する。
主傘１０は、アラミド繊維の中でデュポン社製ケブラを使用しており、主傘ロープ１２（図３）により作動傘１１と係着して折り畳んだ状態にする。
また、作動傘１１側には、作動傘１１と、放出薬５を収納するとともに、この放出薬５の燃焼により作動傘１１を放出する放出筒１６とを係着するための放出機構２４が設けられている。
【００２７】
次に、両端が開口している筒体１の一側１ａから、加熱剤６を収納する収容筒７と着火装置８、主傘１０と作動傘１１および放出機構２４を順次挿入する。
そして、筒体１の他側１ｂを蓋部材１３により塞ぎ、加熱剤６の収容筒７の底面部と蓋部材１３とを留め具１５により止めるが、その際、蓋部材１３と筒体１の外周面との間にスペーサ１４を嵌合させる。
【００２８】
次に、筒体１の一側１ａは、発射薬３と延時薬４と放出薬５とを系列に配置する放出筒（放出手段）２をＯリング１７および留めピン１８により固定する。
また、筒体１は、筒体１の一側外周に、デコイフレアを飛しょうさせる４枚の翼２２を、翼２２を展開させるバネとともに留めておく。
次に、図３により本実施形態にかかる赤外線デコイフレア飛しょう体の作用を説明する。
【００２９】
図３は、赤外線デコイフレア飛しょう体が装甲車両等から放出され、翼２２が展開し飛しょうしながら主傘１０が開き、空中浮遊しながら熱源により主傘１０が遠赤外線を放射する運用概要図である。
ヘリコプター等空中からの攻撃を回避するため、戦車（装甲車両）等から本実施形態に係る赤外線デコイフレア飛しょう体を放出すると、同時に翼２２が開き上空へ飛しょうする。
【００３０】
赤外線デコイフレア飛しょう体の放出と同時に、発射薬３が電気点火され、ほぼ同時に発射薬３から延時薬５に着火される。
そして、延時薬４により所定高度（地上から約３０ｍ程）で放出薬５が燃焼し、放出薬５の燃焼圧で留めピン（シャーピン）１８等が剪断され放出機構２４全体が大気中へ放出される。
【００３１】
放出機構２４が放出されると、赤外線デコイフレア飛しょう体の放出機構２４側は全面開口となり、この開口部から放出機構２４に近接して収容されている作動傘１１が自ら大気中へ出て開傘する。
この作動傘１１の開傘により、赤外線デコイフレア飛しょう体内に折り畳んで収容され、この作動傘１１と主傘ロープ１２で係着している主傘１０が引き出され大気中へ開傘する。
【００３２】
この時、主傘１０と着火装置８の引き金トリガー（レバー）１９とが着火用紐によって繋がっているので、主傘１０が大気中へ開傘されると、着火用紐が引っ張られ、引き金トリガー（レバー）１９が引かれて撃針が雷管２１を叩く。これにより、着火装置８内の着火薬２０に着火する。この着火薬２０の火炎により加熱剤６に着火し燃焼する。
【００３３】
そして、主傘１０が空中に浮遊し、加熱剤６の燃焼炎で展開している主傘１０を暖める。
これにより、主傘１０の全表面から赤外線放射スペクトル８μm〜１２μmの遠赤外線が放出される。
また、赤外線放射体となった主傘１０は、自らの空中浮遊可能形状であるとともに加熱剤６の燃焼炎により、所定上空からゆらゆらと約２０秒程空中浮遊しながら落下していく。
【００３４】
【発明の効果】
以上述べたように、本発明では、所定の上空から空中に主傘（赤外線放射布）を浮遊させながら、この主傘を暖め遠赤外線を放出するので、赤外線ホーミング飛しょう体の経路を変化させることができるので、上空（頭上）からの装甲車両等への脅威に対して防御することが可能となる。
特に、主傘（赤外線放射布）が落下傘（パラシュート）の場合には、広く展開させることが可能であるから、装甲車両等の頭上から進行してくる数多くの小型赤外線ホーミング飛しょう体にも欺瞞効果がある。
【図面の簡単な説明】
【図１】本実施形態に係る赤外線デコイフレア飛しょう体を示す断面図である。
【図２】図１の底面図である。
【図３】本実施形態に係る赤外線デコイフレア飛しょう体の運用概要を示す説明図である。
【符号の説明】
１  筒体
２  放出手段
３  発射薬
４  延時薬
５  放出薬
６  加熱剤
７  収容筒
８  着火装置
９  熱源
１０  主傘（赤外線放射布）
１１  作動傘
２２  翼
【図１】
0004276348.tif 000002
【図２】
0004276348.tif 000003
【図３】
0004276348.tif 000004